(57)【要約】【課題】プライスカードの情報を容易に確認して、下段の商品を容易に取り出すことができ、しかも廉価に製作できるポップカード保持具を提供すること。【解決手段】ポップカード保持具は、カード収容プレートと、プレートホルダ２０とを備えている。プレートホルダ２０は、被取付け部材を把持するフック部２２と、カード収容プレートに係止する一対の係止部２３、２４とを有して形成する。一対の係止部２３、２４は、フック部２２の装着方向に対して上下の対称位置に対向するように配置し、それぞれ「く」の字状に形成するアーム部２３１、２４１と、アーム部２３１、２４１の先端部の両側に延設するピン部２３２、２４２とを有して形成する。いずれかのピン部２３２、２４２が、カード収容プレートの係止孔に係止することによって、ポップカード保持具１０を被取付け部材の上端部あるいは下端部のいずれかに装着することとなる。【選択図】図３
2005134802.tif 000002
【特許請求の範囲】
【請求項１】
ポップカードを収容するカード収容プレートと、前記カード収容プレートを保持するプレートホルダとを備え、
前記カード収容プレートが、前記ポップカードを収容可能に形成されるとともに、前記プレートホルダを１８０度以上回動可能な係止孔を有し、
前記プレートホルダは、被取付け部材に取付け可能なフック部と、前記フック部の基部側から直交して延設するアーム部及び該アーム部の先端部に前記プレートホルダの側部両側から延設する方向に形成されて前記カード収容プレートの係止孔に係止可能なピン部を備える係止部と、を有して形成され、
前記被取付け部材に装着したプレートホルダに、前記カード収容プレートが回動可能に配置されることによって、前記被取付け部材の掲示表示を読み取り可能に構成するポップカード保持具であって、
前記カード収容プレートが正面を向けた状態で、前記プレートホルダが、前記被取付け部材の上端部あるいは下端部のいずれかに装着可能に形成されることを特徴とするポップカード保持具。
【請求項２】
前記プレートホルダには、前記係止部が、前記カード収納プレートの縦方向に対して、対称位置に対向するように一対形成されていることを特徴とする請求項１記載のポップカード保持具。
【請求項３】
前記プレートホルダのフック部には、先端部に前記被取付け部材から脱落防止するためのストッパ段部が、前記プレートホルダの水平方向に沿って突出するように形成されていることを特徴とする請求項１又は２記載のポップカード保持具。                                                                               
【発明の詳細な説明】
【技術分野】
【０００１】
本発明はドラッグストア、スーパーマーケット等において、商品陳列棚に並べられた商品の特徴、用途、用法、効能等の商品情報を記入するポップカードを保持するポップカード保持具に関する。
【背景技術】
【０００２】
一般に、ドラッグストアやスーパーマーケット等の商品陳列棚には、商品情報を提供するために、ポップカードを商品の付近に配置していることが多い。ポップカードは、商品の特徴、用途、用法、効能等の商品情報が記載されていて、通常、陳列棚板の前縁部に配置されている被取付け部材内に収容されているか又はポップカード保持具に収容されて吊り下げられている。また、被取付け部材には商品の価格を示すプライスカードにバーコードで表示していることがあり、このバーコードは、ポップカードがポップカード保持具で保持されている場合、ポップカードの裏側にあることからポップカードにより隠れてしまって見えなくなっている場合が多い。
【０００３】
従来のポップカード保持具は、特許文献１によって開示されているように、ポップカードによって隠れてしまった商品陳列棚のプライスカードを読み取るために、ポップカードを上下方向に回動自在に装着したことが特特許文献１によって開示されている。
【０００４】
これによると、ポップカード保持具は、ポップカードを収納するカード収納プレートと、陳列棚板の被取付け部材に取付けるプレートホルダとを有している。プレートホルダは、被取付け部材に取付けるフック部と、カード収納プレートに係止可能な係止部とを備え、カード収納プレートに形成された係止孔に、プレートホルダの係止部に形成された回動ピンを係止することによって、カード収納プレートがプレートホルダに対して上方に１８０°以上持ち上げることができ、ポップカード保持具の裏側に隠されて陳列棚板に掲示されたプライスカードを確認することができるようになっていた。
【特許文献１】特開２００３−１７７６７１公報（２〜４頁、図２〜３参照）
【発明の開示】
【発明が解決しようとする課題】
【０００５】
しかし、陳列棚板に装着されている被取付け部材、一般的にはスライドレール又はストッパモールと呼ばれるものが、陳列棚板の前縁部に装着されていて、このスライドレール又はストッパモール上に、ポップカードを直接収容したり、また、ポップカードをポップカード保持具に収容してスライドレール又はストッパモール上に保持したりして装着されていた。
【０００６】
上述のポップカード保持具には、ポップカードを横方向に挿入してスポット的に配置する短冊状のカード収納プレートやスライドレールと略同一の長さのポップカードを挿入する長尺のカード収納プレートを取り付ける場合があり、また長尺のカード収納プレートの前面にさらにスポット的に短冊状のカード収納プレートを装着する場合があり、多種多様となっている。
【０００７】
長尺のカード収納プレートの前面にさらに短冊状のカード収納プレートを装着する場合、特許文献１に開示されているポップカード保持具を使用する場合では、カード収納プレートを２重に重ねて把持することができないという課題があった。つまり、カード収納プレートの上端部には、プレートホルダを回動可能に係止するための係止孔が、Ｕ字状の折曲部を有して形成されているために、プレートホルダのフック部では、スライドレール又はストッパモールの厚み分を把持することからフック部の係止隙間が狭く、カード収納プレートのＵ字状の折曲部を重ねて把持することができなかった。
【０００８】
また、スライドレールにカードケースが折畳み可能に一体的に形成されているものにポップカード保持具を装着する場合、つまり、陳列棚板の溝部に装着するスライドレールと、ポップカードを収容したりポップカード保持具を保持したりするカードケースとが、折畳み式に一体的に形成されている場合（図６（ｃ）参照）、プレートホルダのフック部が、上端部のスライドレールとカードケースとの折返し部で、スライドレールとカードケースとを同時に把持するように装着すると、カードケースはスライドレールに対して折畳まれたままで開くことができず、陳列棚板に表示されたプライスカードを隠したまま読み取ることができないという課題が残されていた。
【０００９】
そのために、図１１に示すように、スライドレール又はストッパモール等の被取付け部材の下端部側から、その前面に向かってポップカード５を掲示するマグネット吸着式ポップカード保持具５０が提供されていた。このポップカード保持具５０は、基部に棚板に吸着するマグネット５１と、マグネット５１から屈曲して延設するアーム５２と、アーム部の先端に配置されるカード保持部５３と、を有して形成されている。マグネット５１で陳列棚板のどこにでも吸着して取り付けることができることから、プライスカードを読み取る場合には、一旦取り外して、再取り付けすることとなっていた。
【００１０】
しかし、このポップカード保持具５０は、マグネット５１を使用して陳列棚板１に吸着していることから、コストが高くなることと、プライスカードを読み取るため、あるいは、下方の商品を取り出す際に、都度、移動させなければならないことから作業性が悪いという課題が残されていた。
【課題を解決するための手段】
【００１１】
本発明は、上述の課題を解決するものであり、どのような被取付け部材であっても確実に取り付けて、裏側に隠されているプライスカードを容易に読み取ったり、容易に下方の商品を取り出したりすることができ、しかも廉価なコストで製作できるポップカード保持具を提供することを目的とし、その目的を達成するために、本発明のポップカード保持具は、以下のように構成するものである。すなわち、
請求項１記載の発明では、ポップカードを収容するカード収容プレートと、前記カード収容プレートを保持するプレートホルダとを備え、
前記カード収容プレートが、前記ポップカードを収容可能に形成されるとともに、前記プレートホルダを１８０度以上回動可能な係止孔を有し、
前記プレートホルダは、被取付け部材に取付け可能なフック部と、前記フック部の基部側から直交して延設するアーム部及び該アーム部の先端部に前記プレートホルダの側部両側から延設する方向に形成されて前記カード収容プレートの係止孔に係止可能なピン部を備える係止部と、を有して形成され、
前記被取付け部材に装着したプレートホルダに、前記カード収容プレートが回動可能に配置されることによって、前記被取付け部材の掲示表示を読み取り可能に構成するポップカード保持具であって、
前記カード収容プレートが正面を向けた状態で、前記プレートホルダが、前記被取付け部材の上端部あるいは下端部のいずれかに装着可能に形成されることを特徴とするものである。
【００１２】
また、請求項２記載の発明では、前記プレートホルダには、前記係止部が、前記カード収納プレートの縦方向に対して、対称位置に対向するように一対形成されていることを特徴としている。
【００１３】
さらに、請求項３記載の発明では、前記プレートホルダのフック部には、先端部に前記被取付け部材から脱落防止するためのストッパ段部が、前記プレートホルダの水平方向に沿って突出するように形成されていることを特徴としている。
【発明の効果】
【００１４】
請求項１記載の発明によれば、上端部の厚みがプレートホルダのフック部で把持できる程度の厚みであれば、プレートホルダは、被取付け部材の上端部にフック部で把持して上端部から吊り下げるように装着する。カード収容プレートは、係止孔を、プレートホルダのピン部に縦方向にして係止させた後９０°回転させて水平方向に立て直すことによって装着する。この場合は、ポップカード裏側の被取付け部材上に商品情報が記載されていても、カード収容プレートを上下方向に１８０°以上、持ち上げることで隠されている商品情報を確認することができ、また、陳列棚板の前縁部にプライスカードが表示されていても、バーコードリーダでバーコードを読み込むことができる。
【００１５】
また、折畳み式や上端部が厚く形成されているためにプレートホルダのフック部では把持できない被取付け部材や、長尺状のカード収容プレートの上に短冊状のカード収容プレートを２重にした被取付け部材に装着する場合、スライドレールや長尺状のカード収容プレートの下端部にフック部で把持するようにしてプレートホルダを装着する。これによって、スライドレール上あるいは長尺のカード収容プレート上に商品情報が記載されていても、短冊状のカード収容プレートは、被取付け部材あるいは長尺状のカード収容プレートの前面を隠しているわけではないことから、商品情報は一目で確認することができるとともに、ポップカード保持具のカード収容プレートで、下方の陳列棚板上の商品を取り出す際、カード収容カードを１８０°以上、上方に持ち上げることで容易に商品を取り出すことができる。
【００１６】
しかも、このポップカード保持具は、マグネットを使用することなく、カード収容プレート又はプレートホルダをそれぞれ一体成形で形成できることから廉価に製作することができる。
【００１７】
また、請求項２記載の発明では、プレートホルダに、アーム部とピン部を有する係止部を、対称位置に一対対向して設けてあることから、プレートホルダを装着する被取付け部材、例えばスライドレールや長尺のカード収容プレートの形状に合わせて、上部から吊り下げるように装着するか、あるいは下方から持ち上げるように装着するか、いずれかを選択的に装着して使用することができる。しかも、プレートホルダに係止部を、一対、対向して形成するだけであるから、一体成形で形成することができ廉価に製作することができる。
【００１８】
さらに、請求項３記載の発明では、プレートホルダをスライドレールの下部に装着する場合、プレートホルダには、フック部にストッパ段部を形成してあることから、被取付け部材のプレートホルダのフック部と対向する位置に、ストッパ段部と係止可能な段状突起部を形成することによって、一旦、被取付け部材の下部に装着したプレートホルダの被取付け部材からの脱落防止を図ることができる。
【発明を実施するための最良の形態】
【００１９】
次に、本発明の一実施形態を図面に基づいて説明する。実施形態のポップカード保持具は、プレートホルダに一対の係止部を設けて、被取付け部材、例えば、スライドレール又はストッパモールの上端部又は下端部に装着して使用する形態で説明する。
【実施例１】
【００２０】
図１は、商品２を陳列している商品陳列棚Ｍを示すものであり、各陳列棚板１の前縁部には、被取付け部材３が装着され、被取付け部材３に、商品名、価格、バーコード等が記入されたプライスカード４が付設されている。
【００２１】
特定の商品２の情報を表示する場合には、商品情報を記載したポップカード５をホップカード保持具１０に保持した状態で、ポップカード保持具１０を、被取付け部材３の一部前面を覆うように装着して使用する。このため、この状態においては、通常、ポップカード保持具１０の陰に隠れたプライスカード４は、正面からその表示を読み取ることができない。
【００２２】
ポップカード保持具１０は、図２に示すように、ポップカード５を収容するカード収容プレート１１と、カード収容プレート１１を保持するプレートホルダ２０とからなる。なお、ポップカード５が、図２に示すように、短冊状で横長に形成されてポップカード保持具に横方向に挿入可能であれば、カード収容プレート１１は、横長の短冊状に形成されることになり、図５に示すように、短冊状で縦長に形成されてポップカード保持具に縦方向に挿入可能であれば、カード収容プレートは縦長に形成されることとなる。
【００２３】
図２に示すカード収容プレート１１は、本体部１２が横長で短冊状に形成されているもので、透明・薄肉状のプラスチック製の材料で形成され、矩形板状の本体部１２の上端部、下端部を折り返して形成されている。上端部の上部折返し部１３は、後述のプレートホルダ２０のピン部を収容するために、ピン収容空間部１４を形成して下部折返し部１５より太く形成されている。上部折返し部１３のピン収容空間部１４には、縦方向に複数の係止孔１６が形成され、前述のプレートホルダ２０のピン部を挿入案内する。
【００２４】
ピン収容空間部１４は、前述のピン部を収容して支持するために、半丸孔状に形成されるとともに、上部折返し部１３の先端部１３ａを自然状態で本体部１２に接触するために、下方に向かって狭小に形成されている。そして、上部折返し部１３の先端部１３ａは、プレートホルダ２０のピン部を収容するために弾性状に形成され、収容したピン部を押圧支持することとなる。
【００２５】
プレートホルダ２０は、プラスチック製で透明に形成され、図３〜４に示すように、略矩形板状に形成された本体部２１と、本体部２１の一端から折り返すようにＵ字状に形成されたフック部２２と、本体部２１のフック部２２の反対側に突出する一対の係止部２３、２４とを備えて形成されている。
【００２６】
なお、Ｕ字状に形成されたフック部２２の先端部は、被取付け部材３を堅固に挟持するために本体部２１側に屈曲して弾性力を強くすることが望ましく、またフック部２２の先端部には、本体部２１側に突出するストッパ段部２２１が水平方向に沿って形成されている。さらに、ポップカード５は、本体部１２と上部折返し部１３及び下部折返し部１５との間に挿入することによってカード収容プレート１１内に収容される。
【００２７】
各係止部２３、２４は、フック部２２の屈曲部から開口部を形成する方向と平行して一対設けられるとともに、それぞれ断面略正方形状に形成されてそれぞれ反対側に向かって、くの字状に屈曲するアーム部２３１、２４１と、アーム部２３１、２４１の先端部において各アーム部２３１、２４１の両側に延設するピン部２３２、２４２と、を備えている。各係止部２３、２４のいずれかを、被取付け部材３の上端部あるいは下端部に装着するかによって、図１における中段の陳列棚板１に装着されたポップカード保持具１０のように、ポップカード５が、被取付け部材３上を覆うか、図１における上段の陳列棚板１に装着されたポップカード保持具１０のように、プライスカード４を隠さずに、被取付け部材３の下部から下方に吊り下げられるかのいずれかとなる。
【００２８】
本体部２１の略中央部にはフック部２２側に凹部を有して係止部２３、２４側に突出するように屈曲部２１１が形成され、被取付け部材３にプレートホルダ２０を装着した場合、後述のように、被取付け部材３の一部が屈曲部２１１の凹部内に進入しても回避することができるようにしている。
【００２９】
なお、カード収容プレートは、各種の形態を有しているものであり、図５（ａ）に示すカード収容プレート３１は、本体部３２が縦長に形成されているもので、ポップカード保持具１０のプレートホルダ２０より軟らかい透明・薄肉状のプラスチック製の材料で形成されている。この形態のカード収容プレート３１は、本体部３２が横向きに開いて縦方向に長尺の山形状に形成され、上部に、カード収容プレート３１の開口部位を覆うようにプレートホルダ２０を支持するための支持部３３が形成されている。支持部３３は、プラスチック製の透明な薄肉の板で形成され、上部にプレートホルダ２０のピン部を収容するためにピン収容空間部３５を有して上部折返し部３４が形成され、上部折り返し部３４の下方に凹部３６が形成されている。この凹部３６は、図５（ｂ）に示すように、カード収容プレート３１をプレートホルダ２０に係止した場合、一方の係止部２４が上部折り返し部３４に当接して他方の係止部２３が凹部３６の底面に当接することになり、プレートホルダ２０自体をカード収容プレート３１に対して斜め方向に取り付けることとなる。陳列棚板１に装着した被取付け部材３は、陳列棚板１に対して前方に傾斜するように装着されていることから、被取付け部材３に装着したプレートホルダ２０によって、縦長のカード収納プレート３１は略垂直方向に配置されることとなる。
【００３０】
また、上部折返し部３４には、前述のカード収容プレート２１と同様、縦方向に形成された係止孔３７を備えることになる。なお、本体部３２の側部は裏面側に折返して形成され、山形状のポップカード５Ａを折返し部内に挿入することによって、カード収容プレート３１内に収容している。
【００３１】
被取付け部材３は、種々の形態を有して形成され、例えば、図６（ａ）に示す被取付け部材３はスライドレール３Ａを示すものであり、ポップカード保持具１０より軟質のプラスチック製で形成され、下部を陳列棚板１の溝部に挿入する薄肉板状の溝挿入部３０１と、溝挿入部３０１の上方に連接して形成されてポップカード保持具１０を装着する薄肉板状のポップカード保持具装着部３０２と、Ｌ字状に形成して仕切り板の支持部を挿入する仕切り板ガイド部３０３を有して形成され、ポップカード保持具１０のプレートホルダ２０は、フック部２２をポップカード保持具装着部３０２の上端部から下方に向かって装着する。
【００３２】
図６（ｂ）に示す被取付け部材３は長尺状のカード収容プレート３Ｂを示すものであり、ポップカード保持具１０のプレートホルダ２０より軟質のプラスチック製で形成され、陳列棚板１の溝部に挿入する溝挿入部３１１と、溝挿入部３１１の上端部から下方に折り返して陳列棚板１の下方に向かって延設され、さらに下端部から上方に向かって折り返して２重に形成されるポップカード収容部３１２とを有して形成されている。このカード収容プレート３Ｂの場合、ポップカード５は、下端部を折り返すことによって形成されたポップカード収納部３１２の隙間部３１３に収容することができるとともに、ポップカード５を収容したポップカード保持具１０のプレートホルダ２０を、フック部２２をポップカード収容部３１２の下部折返し部３１２ａに挟むように装着してもよい。
【００３３】
また、このカード収容プレート３Ｂの下端部は、下段の陳列棚板１に陳列されている商品２を取り出すために、陳列棚板１の下面と同一面かあるいは僅かに下方の位置となるように形成される。
【００３４】
なお、カード収容プレート３Ｂのポップカード収容部３１２における下部折返し部３１２ａには、カード収容プレート３Ｂより硬い材質で形成されているプレートホルダ２０のフック部２２が強い弾性力で挟持することによって、カード収容プレート３Ｂを押圧することによって凹部３１２ｂを形成することになり、これによって、装着されたプレートホルダ２０の脱落防止を図ることとなる。
【００３５】
図６（ｃ）に示す被取付け部材３は、カードケース付きスライドレール３Ｃを示すものであり、図６（ａ）のスライドレール３Ａと図６（ｂ）のカード収容プレート３Ｂとを組み合わせたものであり、ポップカード保持具１０のプレートホルダ２０より軟質のプラスチック製で形成され、陳列棚板１の溝部に挿入する溝挿入部３２１を有するスライドレール３２０と、下端部で折り返して形成して隙間部３２３を間にして２重に形成されるカードケース３２２と、を上端部で開放可能に連接する上部折り返し部３２４と、を有して形成されている。このカードケース付きスライドレール３Ｃの場合、ポップカードがスライドレール３Ａと横方向の長さが同一の場合は、隙間部３２３に収容することができ、横方向が短冊状であれば、ポップカード保持具１０に収容して、カードケース３２２の下部折返し部３２２ａに挟み込むようにして装着してもよい。
【００３６】
さらに上部折返し部３２４に、図２に示すカード収容プレート１１の係止孔１６と同様の係止孔を設ければ、プレートホルダ２０のフック部２２を上部折返し部３２４に挿入して、上部から吊り下げるように装着してもよい。そして、このカードケース付きスライドレール３Ｃの下方からポップカード保持具１０を装着する場合、陳列棚板１の下方部に商品２が陳列され、その商品２を取り出す場合には、カードケース３２２を、上部折返し部３２４を中心に上方に持ち上げることによって、商品２を容易に取り出すことができる。
【００３７】
なお、カードケース付きスライドレール３Ｃのカードケース３２２における下部折返し部３２２ａには、プレートホルダ２０のフック部２２に形成されたストッパ段部２２１と係合するように、段状突起部３２２ｂがカードケース３２２の長手方向に沿って形成されている。これによって、装着されたプレートホルダ２０の脱落防止を図ることとなる。
【００３８】
図６（ｄ）に示す被取付け部材３は、ストッパモール３Ｄを示すものであって、陳列棚板Ｉの先端部に形成する上部係止部３３１とカード収容部３３２とを備えている。カード収納部３３２は下端部で折り返して２重に形成され、上部から開口する隙間部３３３を有するとともに折り返された上先端部は隙間部３３３の開口部を広げるように僅かに外方に広げる鍔部３３４を形成している。
【００３９】
このストッパモール３Ｄに装着するポップカード保持具１０は、プレートホルダ２０のフック部２２をストッパモール３Ｄの上端部を挟持するように装着する。スライドモール３Ｄの上端部は、上部係止部３３１と鍔部３３４とを挟持することから、外方に僅かに突出する鍔部３３４は、プレートホルダ２０の本体部２１に形成された屈曲部２２１の凹部内に回避することとなってプレートホルダ２０のストッパモール３Ｄへの装着を妨げることはない。
【００４０】
次に、上記のように構成されたポップカード保持具１０の組付作用について説明する。以下、スライドレールは図６（ｃ）に示すもの（カードケース付きスライドレール３Ｃ）を使用し、図２に示す横長の短冊状のカード収容プレート１１を、プレートホルダ２０に装着する形態で説明する。この形態においては、ポップカード２０は、カードケース付きスライドレール３Ｃの下端部に、下方から上方に向けて装着する。
【００４１】
まず、図７に示すように、プレートホルダ２０の一方の係止部２３（フック部２２に近い方の係止部）を手に持って他方の係止部２４（フック部と離れている方の係止部）を縦方向にして、カード収容プレート１１の係止孔１６に対向させて接近させる。
【００４２】
次に、図８に示すように、プレートホルダ２０の一方のピン部２４２がカード収容プレート１１の係止孔１６に挿入すると、ピン部２４２の先端部がカード収容プレート１１の上部折返し部１３の先端部１３ａを開くように押圧する。そして、その位置でプレートホルダ２０を９０°時計方向、あるいは反時計方向に回転すると、図９に示すように、プレートホルダ２０のフック部２２が、本体部１２より上方に配置された状態で、カード収容プレート１１の本体部１２に対して直交する位置となり、そのまま、ピン部２４２を中心にして下方に回転すると、図７又は図９において、すでに装着されているプレートホルダ２０のように、フック部２２の開口が、カード収容プレート１１と反対側で上方を向けた状態に保持される。この際、挿入する際に手で持っていた側の係止部２３が、カード収容プレート１１の上部折返し部１３に当接することとなり、プレートホルダ２０のフック部２２を、図１０に示すように、カードケース付きスライドレール３Ｃの下端部に、下方から装着することとなる。これによってプレートホルダ２０の回転ストッパとなり、プレートホルダ２０のフック部２２をスライドレール３Ｃのカードケース３２２に挟持した際、カード収容プレート１１の上部折返し部１３がプレートホルダ２０の係止部２３で保持されることとなる。カード収容プレート１１がプレートホルダ２０に保持された状態では、カード収容プレート１１は、カードケース付きスライドレール３Ｃのカードケース部３２２と略平行となる。
【００４３】
従って、カード収容プレート１１は、カードケース付きスライドレール３Ｃの下端部に配置されることとなって、カードケース付きスライドレール３Ｃのカードケース３２２上に表示されたポップカード５を隠すことがない。また、カードケース付きスライドレール３Ｃのポップカード収容部３２２をポップカード保持具１０とともに、上部折返し部３２４を中心に上方に持ち上げることによって（図１０の二点鎖線で示す）、陳列棚板１の前縁部に表示されたプライスカード４を読み取ることができる。しかも、陳列棚板１の下方部に陳列されている商品２を取り出す場合には、カード収容プレート１１を上方に持ち上げることによって、商品２を容易に取り出すことができる。
【００４４】
上述のように、実施例のポップカード保持具１０によれば、被取付け部材３に装着するプレートホルダ２０に被取付け部材３に装着する係止部２３・２４を２箇所に対称位置に設けていることから、プレートホルダ２０を被取付け部材３の上端部あるいは下端部のいずれかに挟持して装着することができる。これによって、被取付け部材３が多種多様であっても、被取付け部材３の上端部に挟持したポップカード保持具１０を上方に持ち上げてポップカード５の陰に隠れて表示されている他のポップカード５やプライスカード４を容易に確認することができたり、被取付け部材３の下端部に挟持したポップカード保持具１０自体がプライスカード４の正面視を妨げない位置に配置できたりする。さらに、ポップカード保持具１０の下方に陳列されている商品２を、カード収容プレート１１を持ち上げることによって、容易に取り出すことができる。
【００４５】
また、プレートホルダ２０のフック部２２には、水平方向に沿ってストッパ段部２２１が形成され、被取付け部材３の折返し部３２２ａにも段状突起部３２２ｂが形成されていることから、プレートホルダ２０のストッパ段部２２１を被取付け部材３の段状突起部３２２ｂに係止すれば（図６（ｃ）の場合）、プレートホルダ２０は被取付け部材３からの脱落防止を図ることができる。
【００４６】
さらに、被取付け部材３がプレートホルダ２０より軟らかいプラスチック製の材料で形成されていることから、プレートホルダ２０のフック部２２で被取付け部材３を挟持する際、被取付け部材３の肉厚部に食い込むように強い弾性力で挟持することによって、被取付け部材３の下部折返し部３１２ａに凹部３１２ｂを形成することになって（図６（ｂ）の場合）、これによってもプレートホルダ２０の被取付け部材３からの脱落を防止することができる。
【図面の簡単な説明】
【００４７】
【図１】本発明の一実施形態に係るポップカード保持具の使用態様図である。
【図２】図１におけるポップカード保持具を示す斜視図である。
【図３】図２におけるプレートホルダを示す斜視図である。
【図４】同側面図である。
【図５】別の形態のカード収容プレートを示す斜視図である。
【図６】陳列棚板に挿入する被取付け部材を示す正面図である。
【図７】ポップカード保持具の組付作用図である。
【図８】ポップカード保持具の組付作用図である。
【図９】ポップカード保持具の組付作用図である。
【図１０】ポップカード保持具の使用作用図である。
【図１１】従来のポップカード保持具を示す斜視図である。
【符号の説明】
【００４８】
１、陳列棚板
２、商品
３、被取付け部材
３Ａ、スライドレール
３Ｂ、カード収容プレート
３Ｃ、カードケース付きスライドレール
３Ｄ、ストッパモール
４、プライスカード
５、ポップカード
１０、ポップカード保持具
１１、カード収容プレート
１３、上部折返し部
１４、ピン収容空間部
１５、下部折返し部
１６、係止孔
２０、プレートホルダ
２１、本体部
２１１、屈曲部
２２、フック部
２２１、ストッパ段部
２３、係止部
２３１、アーム部
２３２、ピン部
２４、係止部
２４１、アーム部
２４２、ピン部                                                                               
【図１】
2005134802.tif 000003
【図２】
2005134802.tif 000004
【図３】
2005134802.tif 000005
【図４】
2005134802.tif 000006
【図５】
2005134802.tif 000007
【図６】
2005134802.tif 000008
【図７】
2005134802.tif 000009
【図８】
2005134802.tif 000010
【図９】
2005134802.tif 000011
【図１０】
2005134802.tif 000012
【図１１】
2005134802.tif 000013